(57)【要約】      （修正有）【課題】カーテンを屋外で使用する場合において、風が強くても容易に外れないマグネット式カーテンを提供する。【解決手段】カーテン１の上辺に沿って所定間隔を以ってマグネット取付位置が設けられ、各マグネット取付位置に設けられたマグネットＭを、構造物の金属部分に磁気的に吸着することにより装着するマグネット式カーテンにおいて、各マグネットは布製のマグネット収納部６内に収納され、各マグネット取付位置において、各布製のマグネット収納部とカーテンの上辺の生地面１ｂとが、帯状伸縮性部材７ａ、７ｂにて接続され、風によるマグネット収納部と金属部分とを引き離そうとする力を、帯状伸縮性部材の伸長により減衰し得るように構成した。【選択図】図３
0003218779.tif 000002
【実用新案登録請求の範囲】
【請求項１】
カーテンの上辺に沿って所定間隔を以ってマグネット取付位置が設けられ、上記各マグネット取付位置に設けられたマグネットを、構造物の金属部分に磁気的に吸着することにより当該カーテンを上記構造物に装着するマグネット式カーテンにおいて、
上記各マグネットはマグネット収納部内に収納されており、
上記各マグネット取付位置において、上記各マグネット収納部と上記カーテンの上記上辺の生地面とが、帯状伸縮性部材にて接続されたものであるマグネット式カーテン。
【請求項２】
上記マグネット収納部は、布製素材により所定厚さを有する方形状、楕円形状又は円形状に形成され、
上記マグネット収納部の一側と上記カーテンの上記生地面とが一の帯状伸縮性部材にて接続され、
上記マグネット収納部の上記一側に対応する他側と上記カーテンの上記生地面とが他の帯状伸縮部材にて接続されたものである請求項１記載のマグネット式カーテン。
【請求項３】
上記金属部分は上記構造物に固定された金属板である請求項１又は２記載のマグネット式カーテン。
【請求項４】
上記金属部分は、構造物に固定された平面板部と、上記平面板部の両縁から下方に各々延出する一対の延出板部とから構成され、
上記一対の延出板部の各々に、上記各マグネット収納部内の各マグネットを以って、２枚のカーテンが各々装着されたものである請求項１〜３の何れかに記載のマグネット式カーテン。
【請求項５】
上記カーテンの縦方向の一辺には、該一辺に沿って縦方向に複数のマグネットが埋め込まれ、
上記縦方向の一辺は上記マグネットにより上記構造物の縦方向の柱の金属部分に磁気的に吸着可能に構成されたものである請求項１〜４の何れかに記載のマグネット式カーテン。
【請求項６】
上記帯状伸縮性部材は、伸縮性のある帯状布である請求項１〜５の何れかに記載のマグネット式カーテン。
【考案の詳細な説明】
【技術分野】
【０００１】
本考案は、例えば屋外等にて使用することができ、風が吹いても容易に外れないマグネット式カーテンに関するものである。
【背景技術】
【０００２】
従来、マグネットにより装着可能なカーテンとしては、カーテンレールの上面にプラットフォームを設け、該プラットフォーム上にマグネットを固定し、天井に固定された金属板に上記マグネットを介して上記プラットフォームを吸着固定し、上記プラットフォームの下面のカーテンレールにカーテンをフックにより吊り下げるものが提案されている（特許文献１）。
【０００３】
また、天井面に金属製の位置決ボルトを複数装着すると共に、上記位置決ボルトに磁気的に吸着可能なマグネットをカーテンの上辺に沿って複数固定し、上記天井面に固定された上記位置決ボルトに上記カーテンの上辺のマグネットを吸着することで、上記天井面にカーテンを固定するものが提案されている（特許文献２）。
【先行技術文献】
【特許文献】
【０００４】
【特許文献１】特開２００４−１３００３７号公報
【特許文献２】実用新案登録第３１８２２４９号公報
【考案の概要】
【考案が解決しようとする課題】
【０００５】
ところで、上記マグネット式のカーテンは、何れも屋内において使用することを想定しているため、風の影響を考慮する必要はなかった。
【０００６】
また、結婚式場等において、装飾用のカーテンを壁面に設けること、或いは、天井面から床面までを装飾用のカーテンで装飾することが行われているが、これらの装飾も屋内におけるものがほとんどであった。
【０００７】
近年、結婚披露宴等において、例えば屋内の披露宴会場に向けての屋外の通路（屋根のある通路等）を使用する場合もあり、このような屋外における通路をカーテンにて装飾することも考えられる。即ち、屋内と同様に、通路の屋根部分に金属板を設け、その金属板にカーテン上辺のマグネットを以って当該カーテンを装着することが考えられる。
【０００８】
しかしながら、上記屋外の通路にマグネットでカーテンを装着すると、カーテンが風によって煽られ、これにより金属板上でマグネットがスライドしてしまい、結果としてカーテンが上記金属板から外れてしまうという問題が発生した。
【０００９】
本考案は、上記従来の課題に鑑みてなされたものであり、マグネット式のカーテンを例えば屋外等で使用する場合において、風が強くても容易に外れないマグネット式カーテンを提供することを目的とする。
【課題を解決するための手段】
【００１０】
上記の目的を達成するため本考案は、
第１に、カーテンの上辺に沿って所定間隔を以ってマグネット取付位置が設けられ、上記各マグネット取付位置に設けられたマグネットを、構造物の金属部分に磁気的に吸着することにより当該カーテンを上記構造物に装着するマグネット式カーテンにおいて、上記各マグネットはマグネット収納部内に収納されており、上記各マグネット取付位置において、上記各マグネット収納部と上記カーテンの上記上辺の生地面とが、帯状伸縮性部材にて接続されたものであるマグネット式カーテンにより構成される。
【００１１】
上記帯状伸縮性部材は、例えば帯状伸縮性布（７，７ａ，７ｂ）により構成することができる。上記構造物は例えば屋外の渡り廊下の天井等である。上記金属部分は上記天井に取り付けられた金属板（４）とすることができる。このように構成すると、例えば屋外の渡り廊下の天井の金属部分にマグネット収納部のマグネットを以ってカーテンを取り付けたとき、カーテンが風に煽られても、帯状伸縮性部材が伸びることで該カーテンに作用する風による力を、当該帯状伸縮性部材の伸長により吸収することができる。よって、マグネット収納部に、金属部分からカーテンを引き離そうとする力が直接作用することはなく、結果として、マグネット収納部がスライドして金属部分から外れること、即ち、風によって、カーテンが構造物から外れることを効果的に防止し得る。
【００１２】
第２に、上記マグネット収納部は、布製素材により所定厚さを有する方形状、楕円形状又は円形状に形成され、上記マグネット収納部の一側と上記カーテンの上記生地面とが一の帯状伸縮性部材にて接続され、上記マグネット収納部の上記一側に対応する他側と上記カーテンの上記生地面とが他の帯状伸縮性部材にて接続されたものである上記第１記載のマグネット式カーテンにより構成される。
【００１３】
上記方形状とは正方形状又は長方形状、上記楕円形状とは一対の平行な辺を有する楕円形状をいう。上記マグネット収納部の一側とは、方形状、楕円形状の場合は一辺、円形状の場合は例えばカーテン生地面側の一側をいい、上記一側に対応する他側とは、上記方形状、楕円形状の場合は上記一辺に平行な他辺、上記円形状の場合は例えばカーテン生地面とは反対側の他側をいう。このように構成すると、マグネット収納部とカーテンの生地面とが、２本の帯状伸縮性部材にて接続されるので、強い風が吹いてカーテンが大きく煽られても、２本の帯状伸縮性部材の伸びにより、カーテンに作用する力を確実に吸収することができる。
【００１４】
第３に、上記金属部分は上記構造物に固定された金属板である上記第１又は２記載のマグネット式カーテンにより構成される。
【００１５】
上記金属部分は、例えば構造物そのものが金属製でない場合は、上記金属板（４，８，９）を予め固定することができる。
【００１６】
第４に、上記金属部分は、構造物に固定された平面板部と、上記平面板部の両縁から下方に各々延出する一対の延出板部とから構成され、上記一対の延出板部の各々に、上記各マグネット収納部内の各マグネットを以って、２枚のカーテンが各々装着されたものである上記第１〜３の何れかに記載のマグネット式カーテンにより構成される。
【００１７】
従って、２枚のカーテンを近接して取り付ける場合は、この一対の延出板部に各々のカーテンのマグネット収納部を吸着すれば良い。
【００１８】
第５に、上記カーテンの縦方向の一辺には、該一辺に沿って縦方向に複数のマグネットが埋め込まれ、上記縦方向の一辺は上記マグネットにより上記構造物の縦方向の柱の金属部分に磁気的に吸着可能に構成されたものである上記第１〜４の何れかに記載のマグネット式カーテンにより構成される。
【００１９】
このように構成すると、カーテンの上辺に直交又は交差する縦方向の一辺もマグネットにより縦方向の柱に磁気的に吸着することができ、カーテンの縦方向の一辺を柱等に接続することにより、当該カーテンの途中を柱に絞り込む等、よりデザイン性の高い装飾を行うことができる。
【００２０】
第６に、上記帯状伸縮性部材は、伸縮性のある帯状布である上記第１〜５の何れかに記載のマグネット式カーテンにより構成される。
【００２１】
上記伸縮性のある帯状布は例えば帯状伸縮性布（７ａ，７ｂ）等により構成することができる。このように帯状伸縮性部材を帯状布により構成することにより、マグネット収納部又はカーテンの生地面との接続は、縫い付けにより行うことができ、簡易な構成により、マグネット式カーテンを構成することができる。
【考案の効果】
【００２２】
本考案によれば、カーテンが風に煽られても、帯状伸縮性部材が伸びることで該カーテンに作用する風による力を、当該帯状伸縮性部材の伸びにより吸収することができる。従って、例えば、マグネット収納部に作用するカーテンを引き離そうとする風による力を減衰させることができ、結果として、風によって、カーテンが構造物から外れることを効果的に防止することができる。
【００２３】
また、マグネット収納部とカーテンの生地面とが、２本の帯状伸縮性部材にて接続されるので、強い風が吹いてカーテンが強く煽られても、２本の帯状伸縮性部材の伸びにより、カーテンに作用する力を確実に吸収することができる。
【００２４】
また、上記金属部分は、構造物そのものが金属製でない場合は、上記金属板を予め固定することにより容易にマグネット式カーテンを構成することができる。
【００２５】
また、２枚のカーテンを近接して取り付けることもでき、カーテン装飾によるデザイン性を向上することができる。
【００２６】
また、カーテンの上辺に直交又は交差する縦方向の一辺もマグネットにより縦方向の柱に磁気的に吸着することができ、カーテンの縦方向を柱等に接続することにより、当該カーテンの途中を柱に絞り込む等、よりデザイン性の高い装飾を行うことができる。
【００２７】
また、帯状伸縮性部材を帯状布により構成することにより、マグネット収納部又はカーテンの生地面との接続は、縫い付けにより行うことができ、簡易な構成により、マグネット式カーテンを構成することができる。
【図面の簡単な説明】
【００２８】
【図１】本考案に係るマグネット付カーテンのマグネット取付位置の説明図である。
【図２】同上マグネット付カーテンの取り付け状態の正面図である。
【図３】同上マグネット付カーテンのマグネット取付位置の詳細を示す斜視図である。
【図４】同上マグネット付カーテンの帯状伸縮性布の拡大正面図である。
【図５】（ａ）は同上マグネット付カーテンの取り付け状態の側面図、（ｂ）は風に煽られた状態の同上マグネット付カーテンの取り付け状態の側面図である。
【図６】（ａ）（ｂ）は共に、同上マグネット付カーテンにおいて、２枚のカーテンを取り付けた状態の側面図である。
【図７】同上マグネット付カーテンにおいて、２枚のカーテンを取り付けた状態の正面図である。
【図８】同上マグネット付カーテンにおけるマグネット収納部の斜視図である。
【図９】同上マグネット付カーテンにおける帯状伸縮性布の一部拡大構造図である。
【考案を実施するための形態】
【００２９】
以下、添付図面に基づいて本考案のマグネット式カーテンについて詳細に説明する。
【００３０】
先ず、本考案の全体的構成について説明する。
図１に示すように、カーテン１の上辺（上辺の生地を折り返し又は生地を重ねた補強部分）１ａに沿って、所定間隔ｔを以ってマグネット取付位置２が設けられ（図１では４か所）、図２に示すように、各マグネット取付位置２に設けられたマグネット（永久磁石）Ｍを、構造物としての例えば屋外の屋根付の渡り廊下５の天井３の金属部分（金属板４）に磁気的に吸着することにより、屋外の上記渡り廊下５に当該カーテン１が装着されるものである。
【００３１】
上記各マグネットＭは図３に示すように布製素材のマグネット収納部６内に収納されている。そして、上記各マグネット取付位置２において、上記各布製のマグネット収納部６と上記カーテン１の上記上辺１ａの生地面１ｂとが、帯状伸縮性部材としての帯状伸縮性布７ａ，７ｂにて接続されている。上記マグネットＭとしては、永久磁石の中では最も強い磁力を持っているネオジウム磁石を使用することが好ましい。尚、永久磁石は円盤形状、又は、方形板状のものを使用する。
【００３２】
上記マグネット収納部６は、所定厚さを有する正方形状又は長方形状に形成され（図８参照）、上記マグネット収納部６の一辺６ｂ（図３のようにマグネット収納部６を水平に位置させた状態では、カーテン１側の一辺６ｂ）と上記カーテン１の上記生地面１ｂとが一の帯状伸縮性部材としての帯状伸縮性布７ｂにて接続され、上記マグネット収納部６の上記一辺に平行な他辺６ａ（図３のようにマグネット収納部６を水平に位置させた状態で、カーテン１とは反対側の他辺６ａ）と上記カーテン１の上記生地面１ｂとが他の帯状伸縮部材としての帯状伸縮性布７ａにて接続されている。
【００３３】
また、上記マグネット収納部６は所定厚さを有する正方形状、長方形状等の方形状に限らず、所定厚さを有する楕円形状（一対の平行な辺を有するもの）又は円形状であっても良い。また、マグネット収納部の「一側」は、方形状、楕円形状の場合はカーテン１の生地面側の一辺６ｂ、円形状の場合は例えばカーテン１の生地面１ｂ側の一側をいい、上記一側に対応する「他側」とは、上記方形状、楕円形状の場合は上記一辺６ｂに平行な他辺６ａ、上記円形状の場合は例えばカーテン１の生地面１ｂとは反対側の他側をいう。
【００３４】
上記渡り廊下５の金属部分は、上記渡り廊下５の天井に固定された金属板４であり（図２参照）、予め上記カーテン１の取り付け位置に沿って、上記渡り廊下５の天井３の下面にビスＢ等で固定しておく。
【００３５】
上記金属部分としての上記金属板４は、図２に示すものは、一定幅の平板状のものであり、天井の下面に固定した状態で、下側の平面４ａに上記マグネット収納部６の一面（上面）６ｃ側を吸着させるものである。
【００３６】
図６（ａ）に示す金属部分としての金属板８は、構造物としての上記渡り廊下５の天井３にビスＢにて固定された平面板部８ａと、上記平面板部８ａの両縁から下方に各々延出する一対の延出板部８ｂ，８ｂ’とから構成され、上記両延出板部８ｂ，８ｂ’は互いにその先端縁が近接する方向に傾斜して形成されている。即ち、上記平面板部８ａと上記延出板部８ｂ，８ｂ’の内角θは鋭角となるように構成されている。この金属板８は、図６（ａ）には端面図を示しているが、実際はこの端面形状のまま、図６の紙面に対して奥部方向に、カーテンの取り付け位置に対応して、長く存在するものである。
【００３７】
そして、上記一対の延出板部８ｂ，８ｂ’の各々の外面に、２枚のカーテン１，１の上記各マグネット収納部６，６内の一面６ｃ，６ｃを各マグネットＭ，Ｍを以って、２枚のカーテン１，１が装着されている。
【００３８】
図６（ｂ）に示す金属部分としての金属板９は、構造物としての上記渡り廊下５の天井３にビスＢにて固定された平面板部９ａと、上記平面板部９ａの両縁から下方に各々延出する一対の延出板部９ｂ，９ｂ’とから構成され、上記両延出板部９ｂ，９ｂ’は互いに平行となるように形成されている。即ち、上記平面板部９ａと上記延出板部９ｂ，９ｂ’の内角θは直角となるように構成され、全体として断面「コ」字状となっている。この金属板９は、図６（ｂ）には端面図を示しているが、同図（ａ）と同様に、実際はこの端面形状のまま、図６の紙面に対して奥部方向に、カーテンの取り付け位置に対応して、長く存在するものである。
【００３９】
そして、上記一対の延出板部９ｂ，９ｂ’の各々の内面に、２枚のカーテン１，１の上記各マグネット収納部６，６内の上面６ｃ，６ｃを各マグネットＭ，Ｍを以って、２枚のカーテン１，１が装着されている。
【００４０】
図７に示すものは、カーテン１の上辺１ａのみならず、上辺１ａと直交又は交差する上記カーテン１の縦方向の一辺１ｃに、該一辺１ｃに沿って縦方向に複数のマグネットＭ（例えばネオジウム磁石）が埋め込まれた実施例である。このカーテン１の場合、渡り廊下５の天井３の金属板８に上記上辺１ａの上記マグネット収納部６を以って接続すると共に、上記縦方向の一辺１ｃは、上記構造物としての上記渡り廊下５の縦方向の柱１０の金属部分に磁気的に吸着したものである。
【００４１】
次に、より具体的に説明する。
図３、図４に示すように、マグネット収納部６内には方形の強力なマグネットＭが内部に収納されており（図８参照）、内部のマグネットＭを包むように厚手の方形の布製素材（例えば、帆布、デニム等）によりマグネットＭを被覆し、周囲を縫い合わせることにより当該マグネット収納部６が形成される。
【００４２】
帯状伸縮性布７（７ａ，７ｂ）は、図４、図９に示すように、長さ方向（矢印Ａ，Ａ’方向）には伸縮するが、幅方向（矢印Ｃ，Ｃ’方向）には伸縮しない布を使用する。尚、この帯状伸縮性布７ａ，７ｂは同一素材なので、帯状伸縮性布の全体をいうときは符号「７」を使用する。この帯状伸縮性布７は（図９参照）、長さ方向に伸縮性のある複数の弾性糸１１（例えばポリウレタン弾性糸）を縦糸とし、この弾性糸１１に直交する伸びない横方向細糸１２（例えばナイロン糸、図４において、細糸１２の一部を表示するが、実際には帯状伸縮性布７の全体に亘り設けられている）が弾性糸１１に交互に編み込まれ、さらに、上記横方向細糸１２に対して帯状伸縮性布７の長さ方向に波状に弾性糸１３（例えばポリウレタン弾性糸）が交互に編み込まれている。また、両サイドは、上記弾性糸１１，１１間の横方向の間隔を短くして補強部１４，１４とするか、別途両サイドに長さ方向に伸縮性のある紐を縫い付けても良い。従って、当該帯状伸縮性布７は、長さ方向（矢印Ａ，Ａ’方向）には伸縮するが、長さ方向とは直交する方向（矢印Ｃ，Ｃ’方向）には伸縮しない。尚、本実施形態では、帯状伸縮性布７を示すが、布地に限らず、長さ方向に伸縮性のあるものであれば、例えば帯状ゴム等の弾性体であっても良い。
【００４３】
尚、上記帯状伸縮性布７は、例えば、トップレディ社製のストレッチ素材（帯状伸縮性布）からなる布製のベルト（幅４０ｍｍ）を使用することができる。本実施形態（図３参照）では、帯状伸縮性布７ａの長さは約６５ｍｍ、帯状伸縮性布７ｂの長さは約２５ｍｍとした。また、トップレディ社製の上記ベルト（幅４０ｍｍ）は、１．８倍まで伸長することができ、通常の長さのベルト（例えば６５ｍｍ）を１．８倍の長さ（例えば１１７ｍｍ）までに伸長させるに要する力（長さ方向に引っ張るための力）は、伸長方向（長さ方向）に３ｋｇ〜５ｋｇ、好ましくは、４ｋｇ〜４．５ｋｇ程度の強度を有するものを使用する。例えば、６５ｍｍの帯状伸縮性布７（幅４０ｍｍ）を１．８倍又は２倍に伸長するために要する力は約５ｋｇ程度のものを使用することができ、この場合の帯状伸縮性部材（弾性体）としてのヤング率は０．０５ＧＰａ程度となる。
【００４４】
従って、長さ方向にある程度の大きな力（引っ張り力）が加わらなければ伸長しない素材が好ましい。例えば１ｋｇ以下の引っ張り力で、容易に、伸長限度長さまで伸びきってしまうストレッチ素材は好ましくない。また、長さ方向に引っ張るための力は強すぎると風による力を吸収する能力が低下する。従って、最大１．８倍まで長さ方向に伸長するための力としては、３ｋｇ〜６ｋｇ程度、或いは、４ｋｇ〜５ｋｇ程度、或いは、４．５ｋｇ程度が好ましい。
【００４５】
よって、例えば１ｋｇ以下の力、又は、２ｋｇ以下の力で１．８倍まで伸長する帯状伸縮性部材（帯状伸縮性布）７は、弾性力が弱すぎ、逆に、例えば７ｋｇ以上の力を加えなければ１．８倍まで伸長しない帯状弾性部材は弾性力が強すぎ、カーテンに加わる風による力を吸収できなくなる。
【００４６】
但し、例えば１ｋｇ以下又は２ｋｇ以下の力で約１．８倍〜約２倍程度まで伸長する帯状伸縮性部材のような伸縮性の高い帯状伸縮性部材であっても、２枚以上（複数枚）使用することで、引っ張り方向の強度を高めることができるので、このような帯状伸縮性部材を２枚以上使用して本考案に係るマグネット式カーテンを構成しても良い。
【００４７】
図３に示すように、上記帯状伸縮性布７ｂはその上側の端縁が、上記マグネット収納部６のカーテン１側の一辺６ｂに縫い目１６により縫い付けられており、下半部が上記カーテン１の生地面１ｂに方形の縫い目１５により、方形に縫い付けられ、カーテン１の生地面１ｂ側の方形の接続基端部１７が形成されている。
【００４８】
また、上記帯状伸縮性布７ａはその上側の端縁が、上記マグネット収納部６のカーテン１とは反対側の他辺６ａに縫い目１８により縫い付けられており、その下側の端縁が上記カーテン１の生地面１ｂに縫い目１９により縫い付けられている。
【００４９】
このように、上記帯状伸縮性布７ａの下側の端縁は、上記帯状伸縮性布７ｂの上記接続基端部１７の下辺部分に縫い目１９により縫い付けられているが、上記接続基端部１７の上記方形の縫い目１５により、上記帯状伸縮性布７ａの上記下側の端縁を同時に縫い付けても良い。
【００５０】
そして、図３に示すように、上記帯状伸縮性布７における伸縮性を有する部分は、カーテン１側の帯状伸縮性布７ｂが短く、カーテン１とは反対側の帯状伸縮性布７ａ側が長く形成されており、かかる長さの違いによって、上記マグネット収納部６は、天井面に平行な水平方向（カーテン１の生地面１ｂに対しては直交する方向）に位置し得るように構成されている。尚、上記帯状伸縮性布７は、上記カーテン１の上辺１ａの補強された部分に縫い付けられており、これにより帯状伸縮性布７とカーテン１とが確実に接続される。
【００５１】
一方、図６（ａ）（ｂ）に示すものは、マグネット収納部６に設けられた帯状伸縮性布７ａ，７ｂの長さは略同一であり、これにより上記マグネット収納部６は、上記カーテン１の生地面１ｂに略平行に位置するように構成されている。
【００５２】
本発明は上述のように構成されるものであるから、図２、図３のカーテンを屋外の渡り廊下５の天井３に装着する場合を説明する。尚、上記屋外の渡り廊下５には図２、図６に示すように、その天井３の下面に金属板４（又は金属板８，９）がビスＢ等にて固定されているものとする。
【００５３】
かかる金属板４の下側の平面４ａにカーテン１の上辺１ａの各マグネット収納部６を、水平な状態で、磁気的に吸着していく（図２、図５（ａ）参照）。この状態においては、上記マグネット収納部６内のマグネットＭの磁気吸着力がマグネット収納部６の布を介して上記金属板４に作用するため、各マグネット収納部６は上記金属板４に強力に磁気的に吸着される。これにより、上記渡り廊下５の天井３に上記カーテン１を装着することができる（図２、図５（ａ）参照）。
【００５４】
このとき、このカーテン１を装着した渡り廊下５は屋外であるから、風が吹けば、カーテン１は煽られる。例えば、図５（ｂ）に示すように、矢印Ｄ方向の風により、矢印Ｄ方向に煽られたとする。
【００５５】
このとき、帯状伸縮性布７を介してマグネット収納部６に対して、矢印Ｄ方向の力が作用し、帯状伸縮性布７を使用していない従来のカーテンであれば、上記矢印Ｄ方向の力により、金属板４に対してマグネット収納部６が矢印Ｄ方向にスライドし、最終的には上記マグネット収納部６が上記金属板４から外れてしまうという事態となっていた。尚、マグネットＭと金属板４との磁気的な吸着の外れは、マグネットＭが金属板４に直交又は交差する方向に外れることは殆どなく、マグネットＭが上記金属板４に平行な方向にスライドすることにより生ずる。即ち、磁気的吸着力が強力であって、マグネットＭを金属板４に対してスライドさせることは（金属板４の平面４ａに平行な方向にスライドさせることは）、比較的小さな力でも可能となる。
【００５６】
本発明に係るマグネット式カーテンは、仮に、矢印Ｄ方向の風により、上記カーテン１が矢印Ｄ方向に煽られたとしても、図５（ｂ）に示すように、上記マグネット収納部６に作用する矢印Ｄ方向の力は、帯状伸縮性布７ａ，７ｂが伸びる（伸長する）ことにより吸収することができるため、上記マグネット収納部６に対して矢印Ｄ方向の力全体が直接作用することはない。
【００５７】
即ち、カーテン１が風により煽られて、該カーテン１に対して矢印Ｄ方向の力が作用しても、帯状伸縮性布７ａ，７ｂが伸びることによって上記力が吸収され、上記力は帯状伸縮性布７ａ，７ｂの伸長により減衰するため、上記マグネット収納部６に上記矢印Ｄ方向の力が殆ど作用しないか、或いは、作用したとしても、相当程度減衰された力が作用するので、上記マグネット収納部６と上記金属板４とのスライド方向の磁気的吸着力を上回る力が当該マグネット収納部６に直接作用することはない。
【００５８】
従って、上記カーテン１が風で煽られても当該カーテン１は上記屋外の渡り廊下５の天井３から容易に外れることはない。
【００５９】
図７は、図６（ａ）の金属板８（図６（ｂ）の金属板９も同じ）を使用して、渡り廊下５にカーテンを２枚装着した実施例である。
【００６０】
まず、屋外の渡り廊下５の天井３の下面に金属板８をその平面板部８ａが天井３の面に密着するようにビスＢ等により接続固定する。
【００６１】
そして、上記金属板８の延出板部８ｂの外面（図６（ｂ）は内面）に一枚目のカーテン１のマグネット収納部６の上面６ｃを磁気的に吸着し、上記金属板８の延出板部８ｂ’の外面に二枚目のカーテン１のマグネット収納部６の上面６ｃを磁気的に吸着する。その後、二枚目のカーテン１の縦辺１ｃに沿って埋め込まれた複数のマグネットＭを上記渡り廊下５の金属製の柱１０に磁気的に吸着する。尚、柱１０が金属でない場合は、予め柱１０に板状の金属板４をビス等により固定しておく。
【００６２】
そして、図７に示すように、二枚目のカーテン１を中央部を絞って位置２０にて柱１０にベルトで縛る等することにより装飾性を向上させることができる。尚、図７において、縦方向の一辺１ｃにおいても、上記マグネットＭをマグネット収納部６に収納し、該マグネット収納部６とカーテン１の一辺１ｃとを帯状伸縮性布７にて各々接続するように構成することもできる。
【００６３】
かかる図７の状態において、例えば風が吹いて、上記２枚のカーテン１，１が、例えば図７の紙面に直交する方向に煽られたとする。この場合においても、図６（ａ）（図６（ｂ）も同様なのでカッコ書きで示す）に示すように、２枚のカーテン１，１は矢印Ｅ方向に煽られることになるが、この場合においても各カーテン１，１のマグネット収納部６とカーテン１の接続基端部１７との間には、帯状伸縮性布７ａ，７ｂが存在するため、これら帯状伸縮性布７ａ，７ｂが伸びる（伸長する）ことにより、矢印Ｅ方向の力が吸収され、このため各カーテン１，１のマグネット収納部６，６は各延出板部８ｂ，８ｂ’（延出板部９ｂ，９ｂ’）をスライドすることなく、マグネット収納部６，６が上記延出板部８ｂ，８ｂ’（延出板部９ｂ，９ｂ’）から外れることはない。
【００６４】
尚、カーテン１の風の影響を最小限に抑えるためには、上記カーテン１の表面にスリット（切目、図示せず）を設け、風がカーテン１の生地を通りぬけるようにすることもできる。
【実施例】
【００６５】
１  実験例
図２に示すように、屋外の渡り廊下５の天井３の下面に金属板４を固定し、上記金属板４にカーテン１の上辺に沿うマグネット収納部６（４か所）を磁気的に吸着し、同図に示すカーテン１を渡り廊下に装着した。尚、カーテン１の生地面には風が通り抜けるスリットは形成していない。
【００６６】
マグネット式カーテンは図３に示す構造のものを使用した。使用した帯状伸縮性布は、トップレディ社製の幅４０ｍｍの布製素材のベルト（ストレッチインベル）を使用した。この帯状伸縮性布７ａの長さは６５ｍｍ、帯状伸縮性布７ｂの長さは２５ｍｍとした。また、帯状伸縮性布７ａ，７ｂは、長さ方向に最大１．８倍まで伸長可能であり、最大１．８倍に伸長するためには、長さ方向（伸長方向）に４．５ｋｇの力を必要とするものを使用した。
【００６７】
尚、長さ方向の力（引っ張り力）は、帯状伸縮性布７を水平面に載置すると共に、その一端を固定し、他端を手ばかりのフックに引っ掛け、手ばかりを水平に伸長方向に最大伸長長さ（１．８倍）まで引っ張ったときの手ばかりの目盛（ｋｇ）により測定した。
【００６８】
カーテンを装着後、送風機（図示せず）で、上記カーテン１の生地面に直角方向の風を当て、カーテン１のマグネット収納部６と金属板４との接続状況を確認した。
【００６９】
その結果、平均風速１０ｍ／ｓｅｃ（樹木全体、電線等が揺れ始める風速）（瞬間風速約２０ｍ／ｓｅｃ以下）〜平均風速３５ｍ／ｓｅｃ（細い木の枝が折れたり、道路標識が傾く風速）（瞬間風速約４０ｍ／ｓｅｃ）までの風を当てたが、上記カーテン１は上記金属板４から外れることはなかった。これは帯状伸縮性布７ａ，７ｂが伸長することで、風によってマグネット収納部６に直接作用する力が減衰したため、結果として、マグネット収納部６が金属板４をスライドすることなく、両者の接続が維持された結果であると考えられる。
２  比較例
【００７０】
マグネット収納部６をカーテンの上辺に直接縫い付け、帯状伸縮性布７ａ，７ｂが存在しない状態で、同様の実験を行った。
【００７１】
その結果、平均風速２０ｍ／ｓｅｃ（瞬間風速約２０〜２５ｍ／ｓｅｃ）を超えた時点で、一部のマグネット収納部６がスライドして、金属板４から外れた。
【００７２】
以上のように、本考案によれば、例えば屋外の渡り廊下５の天井３に磁気的に吸着されたマグネット収納部６に、金属部分からカーテン１を引き離そうとする力が直接作用することはなく、結果として、屋外の風によって、カーテン１が構造物から外れることを効果的に防止することができる。よって、屋外の渡り廊下等の構造物にもカーテン１による各種装飾を簡易に行うことができる。
【００７３】
また、マグネット収納部６とカーテン１の生地面１ｂとが、２本の帯状伸縮性部材（７ａ，７ｂ）にて接続されるので、強い風が吹いてカーテンが大きく煽られても、２本の帯状伸縮性部材（７ａ，７ｂ）の伸びにより、カーテン１のマグネット収納部６に作用する力を確実に吸収することができ、カーテン１の外れを効果的に防止できる。
【００７４】
また、上記金属部分は、構造物そのものが金属製でない場合は、金属板を予め固定することにより容易にマグネット式カーテンを構成することができる。
【００７５】
また、金属板８，９を使用することにより、２枚のカーテン１，１を近接して取り付けることもでき、カーテン装飾によるデザイン性を向上することができる。
【００７６】
また、カーテン１の水平方向の上辺に直交（交差）する縦方向の一辺もマグネットＭにより縦方向の柱１０に磁気的に吸着することができ、カーテンの縦方向を柱１０等に接続することにより、当該カーテンの途中を柱に絞り込む等、よりデザイン性の高い装飾を行うことができる。
【００７７】
また、帯状伸縮性部材（７ａ，７ｂ）を帯状布により構成することにより、マグネット収納部６又はカーテン１の生地面１ｂとの接続は、縫い付けにより行うことができ、簡易な構成により、マグネット式カーテンを構成することができる。
【００７８】
上記の実施形態では、本考案に係るマグネット式カーテンは屋外で使用することを前提として説明したが、風が発生する場合であれば、室内においても使用できることは勿論である。
【産業上の利用可能性】
【００７９】
本考案に係るマグネット式カーテンは、屋外等における渡り廊下等の構造物をカーテンで装飾することができ、結婚式場等のカーテンによる装飾エリアを飛躍的に拡大することが可能となる。
【符号の説明】
【００８０】
１                カーテン
１ａ              上辺
１ｂ              生地面
１ｃ              縦方向の一辺
２                カーテン取付位置
４                金属板
６                マグネット収納部
６ａ              他辺
６ｂ              一辺
７                帯状伸縮性布（帯状伸縮性部材）
７ａ，７ｂ        帯状伸縮性布（帯状伸縮性部材）
８ａ，９ａ        平面板部
８ｂ，８ｂ’      延出板部
９ｂ，９ｂ’      延出板部
１０              柱
Ｍ                マグネット
【図１】
0003218779.tif 000003
【図２】
0003218779.tif 000004
【図３】
0003218779.tif 000005
【図４】
0003218779.tif 000006
【図５】
0003218779.tif 000007
【図６】
0003218779.tif 000008
【図７】
0003218779.tif 000009
【図８】
0003218779.tif 000010
【図９】
0003218779.tif 000011